(57)【特許請求の範囲】
【請求項１】
透明または半透明でフレキシブルな合成樹脂材料で形成され、中心を基準として第１部材（１１０）および第２部材（１２０）に二等分され、前記第１部材（１１０）および第２部材（１２０）が結合された時に空気の流入ができるように形成される一つ以上の空気の流入経路（１０１）；
前記第２部材（１２０）の表面または裏面が黒色でコーティングされるか、黒色金属板または黒色紙を付着して光を吸収する吸熱部（１０２）；
前記第１および第２部材（１１０、１２０）の両側に第１部材（１１０）には第１翼部（１３１）が、第２部材（１２０）には第２翼部（１３２）がそれぞれ連結され、前記第１翼部（１３１）には一つ以上の結合突起（１３３）が形成され、前記結合突起（１３３）と対応する位置に前記結合突起（１３３）を収容するように、前記第２翼部（１３２）には収容突起（１３４）が形成される、翼部（１３０）；および
建築物の窓（２００）ガラスの室内側に着脱できるように、前記第１翼部（１３１）の外側面に、吸着板（１５１）、磁石、フック、または、両面テープのうちいずれか一つで構成される着脱手段（１５０）；を含む、太陽熱温風器（１００）であって、
前記太陽熱温風器（１００）は、二つ以上を上下および左右に延長させて複数で使用され、及び前記空気の流入経路（１０１）の上部または下部に形成される延長部（１０３）を介して上下に延長して使用され、
前記吸熱部（１０２）は、前記第２部材（１２０）の縁に形成される挿入溝（１０４）に黒色の金属薄板（１０５）または黒色の紙（１０６）を挿入することにより構成され、
前記太陽熱温風器（１００）の不使用時の保管のために、複数の前記太陽熱温風器（１００）の各々を前記第１部材（１１０）と前記第２部材（１２０）に分離することが可能であることを特徴とする、太陽熱温風器。
【請求項２】
前記空気の流入経路（１０１）は、ジグザグ状に形成されることを特徴とする、請求項１に記載の太陽熱温風器。
【請求項３】
前記太陽熱温風器（１００）は、各翼部（１３０）を左右に隣接させて窓に取り付けられることを特徴とする、請求項１に記載の太陽熱温風器。
【請求項４】
前記温風器本体（１００）は、前記空気の流入経路（１０１）内側の上部または下部に送風ファン（１４０）が設置され、前記送風ファン（１４０）は太陽電池またはバッテリーによって駆動されることを特徴とする、請求項１に記載の太陽熱温風器。
【発明の詳細な説明】
【技術分野】
【０００１】
本発明は太陽熱温風器に関するもので、具体的には透明または、半透明に形成されるものの、パイプ状に形成され、その内側に空気の流入ができるように空気の流入経路を形成し、その内側部を黒色で形成して前記空気の流入経路で加熱された空気を外側に排出させるようにすることによって輻射暖房ができるようにする太陽熱温風器に関するものである。
【背景技術】
【０００２】
代替エネルギーの開発は未来エネルギー源確保および環境保護レベルの環境親和的なエネルギー資源の開発と活用という側面とＧＲ、ＴＲ、ＷＴＯなど国際環境関連条約に能動的に対処するためにその重要性が非常に増加している。したがって、代替エネルギー資源のうち無制限、無公害の太陽エネルギーの利用技術の開発および実用化は非常に至急な問題である。
【０００３】
現在地球上の人類は解決しなければならない二つの問題に直面している。第１は人類が使用している石油、石炭などの化石エネルギーの枯渇問題であり、第２は化石エネルギーの使用増加にともなう地球温暖化を防ぐための気候変化協約の履行問題である。
【０００４】
人類が永遠に使うことができると考えていた化石エネルギーは、現在のような量で使い続けると石油は４０年、石炭は２１０年、天然ガス６５年、ウラニウムは５０年後には枯渇するとされている。
【０００５】
このような困難な問題の解決に、いわゆる「未来エネルギー」または「グリーンエネルギー」と呼ばれる清浄代替エネルギーが脚光を浴びており、これに伴い、各国は代替エネルギーの開発と普及に莫大な投資をしている。
【０００６】
代替エネルギーとしては、太陽光、太陽熱、風力調節、地熱、燃料電池、水素エネルギー、廃棄物エネルギーなどが挙げられるが、本発明では太陽光と太陽熱を利用したものに焦点を合わせる。
【０００７】
太陽は表面温度が６，０００℃であり、中心部の温度は約１，５００万℃に達するので莫大な量の熱と光を出しており、その量はおよそ９．２×１０２２ｋｃａｌにも達するが、地球は太陽から約１億５，０００万ｋｍ離れているため、地球に達する太陽輻射エネルギーの量（太陽定数）は約２ｃａｌに過ぎない。
【０００８】
このような太陽輻射エネルギーは、私達の日常生活に必要なエネルギーの根源であるだけでなく、様々な気象現象や海での海流の原動力となることもあり、その他に太陽エネルギーを利用したものでは太陽電池をはじめとして太陽熱温風装置、太陽熱住宅、太陽炉、太陽熱発電機などの様々な装置が提案されたことがある。
【０００９】
そのうち、太陽熱温風装置の場合、室外に設置され、黒色で形成されるベローズ管をジグザグ状に配置し、前記ベローズ管に流入される空気を太陽熱によって加熱して室内に流入させるように構成される。
【００１０】
しかし前記太陽熱温風装置の場合、製作工程が複雑で、集熱面積が大きくなければならず、体積が大きくなり、空間を確保しないと設置し難いという問題点があった。
【００１１】
また、前記ベローズ管が室外に設置されるため、ベローズ管の内側に加熱された空気の熱が外側に放出されることを遮蔽させることが難しく効率的な暖房が困難であるという問題点があった。
【００１２】
さらに、前述した太陽熱温風装置の場合、今のところ、一般の一戸建て住宅のような住居施設にのみ制限されて設置されており、マンションまたは、多世帯住宅のように外部設置が難しいところでは事実上使用できないという問題点もあった。
【００１３】
一方、前記した太陽熱温風装置の場合、暖房を要しない夏期にはメンテナンスおよび保管が難しい問題点があった。
【先行技術文献】
【特許文献】
【００１４】
【特許文献１】韓国登録実用新案第０３１６７３７号公報
【発明の概要】
【発明が解決しようとする課題】
【００１５】
特許文献１には、前面が開放されて透明ガラス層が覆われ、内部底面に集熱板が展開されており、内部は複数の隔板によってジグザグ型の流路が形成され、下部側流路の入口端と上部側流路の出口端にそれぞれ空気流入口と空気流出口が配置された集熱ボックスで構成され、集熱ボックスが分配器を介して室内温風暖房機、オンドルパネルおよび温水蓄熱槽に連結される太陽熱暖房システムに対する技術が開示されている。
【００１６】
しかし、前記した太陽熱暖房システムの場合、冬期室内の温度上昇のための温風供給および温風供給時に発生する熱を利用して温水を生成し、この温水をオンドルに供給することで室内の暖房に利用されるためのシステムに関するもので、これは比較的施設物の大きい建築物に適用され、このようなシステムを構築するためには多くの設置費用と期間が要されるという問題点があった。
【００１７】
また、前記したシステムを一度設置すると、夏期のような時期には使用されず、使用者が思わずそのまま放置することになってしまい、冬期になってシステムを再び駆動するためには、これを修理または、清掃をした後使用しなければならないのでメンテナンスが難しい問題点があった。
【００１８】
本発明は前記した問題点を解決するために発明されたもので、その目的は、窓の内側面のガラス表面に付着して使用するためのもので、フレキシブル合成樹脂材で形成され、透明または、半透明に形成されるものの、パイプ状に形成されてその内側に空気の流入ができるように空気の流入経路を形成し、前記空気の流入経路の内側部を黒色で形成して前記空気の流入経路で加熱された空気を外側に送風ファンによって外部に排出させるようにすることによって輻射暖房ができる太陽熱温風器を提供することにある。
【課題を解決するための手段】
【００１９】
前記した技術的課題を達成するための本発明は、フレキシブル合成樹脂材質で形成されるものの、透明または、半透明に形成され、中心を基準として第１部材および第２部材に二等分され、前記第１部材および第２部材が結合された時に空気が流入するようにする一つ以上で形成される空気の流入経路；前記第２部材の表面または、裏面が黒色でコーティングされるか、黒色金属板または、黒色紙を付着して光を吸収する吸熱部；前記第１および第２部材の両側に第１部材には第１翼部が、第２部材には第２翼部がそれぞれ連結されるものの、前記第１翼部には一つ以上で形成される結合突起と、前記結合突起と対応する位置に前記結合突起を収容するように前記第２翼部に収容突起が形成される翼部；および建築物の窓ガラスの室内側に着脱できるように前記第１翼部の外側面に吸着板、磁石、輪または、両面テープのうちいずれか一つで構成される着脱手段；を含む。
【発明の効果】
【００２０】
本発明の太陽熱温風器によれば、第一、フレキシブル合成樹脂材で形成されるので軽く、組立および解体が容易であり、老若男女誰でも簡単に使用することができ、特に、夏期のような未使用時には第１および第２部材を分離した後、各部材を畳むことができるため体積が小さくなり、保管が容易となるので使用性が増大する効果がある。
【００２１】
第二、マンションのような多世帯住宅および事務室のような室内にて室内側の窓に簡単に付着して使用できるため冬期エネルギーを節約することができ、これによって経済性が高まる効果がある。
【００２２】
第三、ブロー成形または、射出成形によって容易に製作できるため大量生産が可能となり生産性が高まる効果がある。
【図面の簡単な説明】
【００２３】
【図１】本発明の太陽熱温風器の様子を示している斜視図。
【図２】図１の分解斜視図。
【図３】図１の背面斜視図。
【図４】本発明の太陽熱温風器が上下に積層される様子を示している斜視図。
【図５】本発明の太陽熱温風器が積層され、下部に送風ファンが結合した様子を示している斜視図。
【図６】本発明の太陽熱温風器の使用状態を示している斜視図。
【図７】図１の吸熱部の他の実施例を示している斜視図。
【図８】本発明の太陽熱温風器の変形例を示している斜視図。
【図９】図８の分解斜視図。
【図１０】図８の背面斜視図。
【図１１】本発明の太陽熱温風器の変形例が上下部に積層される様子を示している斜視図。
【発明を実施するための形態】
【００２４】
前記した技術的課題を達成するための本発明は、フレキシブル合成樹脂材質で形成されるものの、透明または、半透明に形成され、中心を基準として第１部材および第２部材に二等分され、前記第１部材および第２部材が結合された時に空気が流入するようにする一つ以上で形成される空気の流入経路；前記第２部材の表面または、裏面が黒色でコーティングされるか、黒色金属板または、黒色紙を付着して光を吸収する吸熱部；前記第１および第２部材の両側に第１部材には第１翼部が、第２部材には第２翼部がそれぞれ連結されるものの、前記第１翼部には一つ以上で形成される結合突起と、前記結合突起と対応する位置に前記結合突起を収容するように前記第２翼部に収容突起が形成される翼部；および建築物の窓ガラスの室内側に着脱できるように前記第１翼部の外側面に吸着板、磁石、輪または、両面テープのうちいずれか一つで構成される着脱手段；を含む。
【００２５】
一実施例において、前記空気の流入経路は、ジグザグ状に形成されることを特徴とする。
【００２６】
一実施例において、前記太陽熱温風器は、二つ以上を上下部および左右に延長させて複数で使用するものの、前記空気の流入経路の上部または、下部に形成される延長部を通じて上下部に積層して使用し、前記太陽熱温風器の各翼部を左右に隣接させて窓に付着することを特徴とする。
【００２７】
一実施例において、前記温風器本体は、前記空気の流入経路内側の上部または、下部に送風ファンが設置されるものの、前記送風ファンは太陽電池または、バッテリーによって駆動されることを特徴とする。
【００２８】
一実施例において、前記吸熱部は、前記第２部材の縁に挿入溝が形成され、前記挿入溝に黒色の金属薄板または、黒色の紙が挿入されて吸熱部を構成することを特徴とする。
【００２９】
本発明を十分に理解するために本発明の好ましい実施例を添付図面を参照して説明する。本発明の実施例は種々の形態に変形することができ、本発明の範囲は下記にて詳細に説明する実施例に限定されるものではない。本実施例は当業界で平均的な知識を有した者に本発明をより完全に説明するために提供されるものである。したがって、図面での要素の形状などは、より明確な説明を強調するために誇張して表現され得る。各図面において、同一部材は同一の参照符号で図示した場合があることに留意されたい。また、本発明の要旨を不要に曖昧にする恐れがあると判断される公知機能および構成に対する詳細な記述は省略する。
【００３０】
以下、添付された図面を参照して本発明の好ましい実施例を説明することによって、本発明の太陽熱温風器を詳細に説明する。
【００３１】
図１は本発明の太陽熱温風器の様子を示している斜視図で、図２は図１の分解斜視図、図３は図１の背面斜視図、図４は本発明の太陽熱温風器が上下に積層される様子を示している斜視図、図５は本発明の太陽熱温風器が積層されて、下部に送風ファンが結合した様子を示している斜視図、図６は本発明の太陽熱温風器の使用状態を示している斜視図、図７は図１の吸熱部の他の実施例を示している斜視図である。
【００３２】
図１〜図７を参照すれば、本発明の太陽熱温風器は、フレキシブルな合成樹脂材質で形成されるものの、透明または、半透明に形成され、中心を基準として第１部材１１０および第２部材１２０に二等分され、前記第１部材１１０および第２部材１２０が結合された時に空気の流入ができるように、一つ以上で形成される空気の流入経路１０１が構成される。前記した合成樹脂材は例えば、ＰＥＴ（ｐｏｌｙ  ｅｔｈｙｌｅｎｅ  ｔｅｒｅｐｈｔｈａｌａｔｅ）、ＰＣ（ｐｏｌｙｃａｒｂｏｎａｔｅ）およびプラスチックなどで形成することができる。
【００３３】
一方、前記第２部材１２０の表面または、裏面が黒色でコーティングされるか、黒色金属板または、黒色紙を付着して光を吸収する吸熱部１０２がさらに構成される。
【００３４】
具体的に前記吸熱部１０２は、太陽熱を簡単に吸収するようにするために黒色で形成することが好ましく、例えば黒色でコーティングするか、黒色金属板または、黒色紙を付着することができる。
【００３５】
または、図７に図示された通り、前記吸熱部１０２は、前記空気の流入経路１０１の縁に挿入溝１０４が形成され、前記挿入溝１０４に黒色の金属薄板１０５および黒色の紙１０６が挿入されて構成され得る。
【００３６】
前記の通り、第２部材１２０にのみ吸熱部１０２が構成されるのは、前記第１部材１１０の場合、窓に接するので太陽光が容易に第１部材１１０を通過して吸熱部１０２に吸収されるようにするためである。
【００３７】
一方、前記第１および第２部材１１０、１２０の両側に翼部１３０が延長形成されるが、前記第１部材１１０には第１翼部１３１が、第２部材１２０には第２翼部１３２がそれぞれ連結される。
【００３８】
前記第１翼部１３１には、一つ以上で形成される結合突起１３３と、前記結合突起１３３と対応する位置に前記結合突起１３３を収容するように前記第２翼部１３２に収容突起１３４が形成される。
【００３９】
したがって前記結合突起１３３と収容突起１３４により第１部材１１０および第２部材１２０が結合し、それによって中間部に空気の流入経路１０１が形成される。
【００４０】
一方、前記太陽熱温風器１００は、複数を互いに積層して上下部に延長させるために前記空気の流入経路１０１の上部または、下部に延長部１０３が形成される。したがって図５および図６に図示された通り、上下部に積層して使用することができるようになる。
【００４１】
また、左右に延長する場合には、前記翼部１３０が互いに隣接するように配置して左右に延長して使用できるようにする。
【００４２】
したがって、比較的広い面積に太陽熱温風器１００が使用される場合、前記した通り、太陽熱温風器１００を上下左右すなわち、直列または、並列で窓２００に付着して使用することができるようになる。
【００４３】
具体的には、図６に図示された通り、前記太陽熱温風器１００を上下に積層した状態で前記着脱手段１５０を利用して窓２００に付着して使用する。また、前記各翼部１３０を互いに隣接させて左右に延長して使用できるようになるのである。
【００４４】
一方、前記温風器本体１００は、前記空気の流入経路１０１の上部に送風ファン１４０をさらに具備することができる。これは前記空気の流入経路１０１に流入されて太陽熱によって加熱された空気を容易に上部に抜け出すようにするためである。図面には空気の流入経路１０１の上部に送風ファン１４０が設置されているが、下部に設置してもよい。
【００４５】
また、前記送風ファン１４０の場合、一般的な電源供給手段であるバッテリーが適用されるかまたは、太陽電池によって駆動され得る。前記太陽電池が適用される場合、バッテリーのように、頻繁な消耗による取替え費用を節減でき経済的である。
【００４６】
一方、前記着脱手段１５０は、図面に吸着板１５１を例に挙げて説明したが、その他にも磁石、輪または、両面テープなどの多様な手段を適用することができる。磁石が適用される場合、前記吸着板１５１の代わりに磁石が付着され、対応する位置に鉄板などを具備して付着することができる。また、両面テープの場合も吸着板の位置に付着して使用することができる。さらに、輪で構成される場合には両翼部１３０の上端部に輪を構成し、前記輪を利用してカーテン用ポールにかけて使用するかまたは、別途の結束用のポールを窓の上部に設置して前記ポールに輪を結束させて使用することができる。
【００４７】
以下、本発明の太陽熱温風器の変形例について詳察する。
【００４８】
図８は本発明の太陽熱温風器の変形例を示している斜視図で、図９は図８の分解斜視図、図１０は図８の背面斜視図、図１１は本発明の太陽熱温風器の変形例が上下部に積層される様子を示している斜視図である。
【００４９】
図８〜図１１を参照すれば、本発明の太陽熱温風器の変形例の場合、前記した図１〜図６で説明した構成と同一である。ただし、空気の流入経路１０１の形状が直線型ではなくジグザグ状に形成されたことが異なる。また、前記した図１〜図６に図示された実施例から翼部１３０をなくした構成である。
【００５０】
前記変形例は、比較的広い面積の窓に付着する時に利用されるものである。その他にも多様な形状の空気の流入経路１０１を形成して使用することができる。美的感覚を高めるために例えば、星、ハートなどの多様な形状で形成することができる。
【００５１】
以上で説明した本発明の太陽熱温風器の実施例は、例示的なものに過ぎず、本発明が属した技術分野の通常の知識を有した者であれば、これから多様な変形および均等な他の実施例が可能であることが理解されよう。したがって、本発明は前記の詳細な説明で言及される形態にのみ限定されるものではないこともよく理解されよう。したがって本発明の真の技術的保護範囲は、添付された特許請求の範囲の技術的思想によって定められるべきである。また、本発明は添付された特許請求の範囲によって定義される本発明の精神とその範囲内にあるすべての変形物と均等物および代替物を含むものと理解されるべきである。
【符号の説明】
【００５２】
１００：太陽熱温風器
１０１：空気の流入経路
１０２：吸熱部
１０３：延長部
１１０：第１部材
１２０：第２部材
１３０：翼部
１３１：第１翼部
１３２：第２翼部
１３３：結合突起
１３４：収容突起
１４０：送風ファン
１５０：着脱手段
２００：窓
【図１】
0006264587.tif 000002
【図２】
0006264587.tif 000003
【図３】
0006264587.tif 000004
【図４】
0006264587.tif 000005
【図５】
0006264587.tif 000006
【図６】
0006264587.tif 000007
【図７】
0006264587.tif 000008
【図８】
0006264587.tif 000009
【図９】
0006264587.tif 000010
【図１０】
0006264587.tif 000011
【図１１】
0006264587.tif 000012